(57)【特許請求の範囲】
【請求項１】
本体ボデーと、該本体ボデーに設けられた吐止水操作部と、該吐止水操作部とは反対側において該本体ボデーに設けられた吐水口とを有し、該本体ボデーには前記吐水口に連通する主水路と、該主水路を開閉する主弁と、該主弁を水圧により閉弁方向に押圧するための背圧室と、該背圧室と前記主水路の前記主弁の下流部とを連通させる該主弁操作用のパイロット水路とが内部に設けられているとともに、該パイロット水路を開閉するパイロット弁が設けられており、前記吐止水操作部による前記パイロット弁の開閉操作により前記吐水口からの吐水と止水とを行う吐水装置において、
前記本体ボデーを、前記吐止水操作部側と吐水口側とに分割するとともに、該吐止水操作部と吐水口とが接近・離間する方向に伸縮可能な伸縮構造となしてあることを特徴とする吐水装置。
【請求項２】
請求項１において、前記本体ボデーにおける前記吐水口側の分割体に前記主水路と前記主弁と前記背圧室とが設けてあるとともに、前記吐止水操作部側の分割体に前記パイロット弁が設けてあって、前記パイロット水路が該吐水口側の分割体と該吐止水操作部側の分割体とにまたがって形成されており、前記本体ボデーの伸縮によって該パイロット水路が伸縮するようになしてあることを特徴とする吐水装置。
【請求項３】
請求項１，２の何れかにおいて、前記パイロット水路が、前記本体ボデーに一体的に設けた管部にて構成してあることを特徴とする吐水装置。
【請求項４】
請求項３において、前記パイロット水路が二重管にて構成してあり、該二重管の内管により前記背圧室から前記パイロット弁の側に向う往水路が、該内管と外管との間に該パイロット弁の側から前記主水路の側に向う復水路が形成してあることを特徴とする吐水装置。
【請求項５】
請求項１〜４の何れかにおいて、前記本体ボデーにおける前記吐止水操作部側の分割体と前記吐水口側の分割体との伸縮方向の相対関係位置を規定するスペーサ部材が設けてあることを特徴とする吐水装置。
【請求項６】
請求項１〜５の何れかにおいて、前記本体ボデーにおける前記吐止水操作部側の分割体と前記吐水口側の分割体とがねじ結合してあることを特徴とする吐水装置。
【請求項７】
請求項１〜６の何れかにおいて、前記吐止水操作部が押込式のスイッチ操作部として構成してあることを特徴とする吐水装置。
【請求項８】
請求項７において、前記吐止水操作部が、互いに反対側の端部を押込操作することで吐水操作と止水操作とを行うシーソー式のスイッチ操作部となしてあることを特徴とする吐水装置。
【発明の詳細な説明】
【０００１】
【発明の属する技術分野】
この発明は吐水装置に関し、特に吐止水操作部がスイッチ操作式の吐水装置に適用して好適な吐水装置に関する。
【０００２】
【従来の技術】
従来、吐止水操作部の操作によって吐水口からの吐水と止水とを行う吐水装置として、その吐止水操作部をシーソー式のスイッチ操作部となしたものが公知である。
図７はその一例を示している。
同図において２００は吐水口で、２０２はその吐水口２００からの吐水と止水とを行うための吐止水操作部で、この吐止水操作部２０２はシーソー式のスイッチ操作部として構成してある。
【０００３】
この吐水装置の場合、吐止水操作部２０２の一方の端部２０２ａを押込操作することで吐水口２００からの吐水が行われ、また反対側の端部２０２ｂを押込操作することで吐水口２００からの吐水停止、即ち止水が行われる。
【０００４】
具体的にはこの吐水装置の場合、主水路２０４上にダイヤフラム弁から成る主弁２０６が設けられていて、その主弁２０６の背面側に背圧室２０８が形成されている。
主弁２０６は、図７（Ａ）に示すように通常はその背圧室２０８内の水圧によって弁座２１０に着座した状態、即ち閉弁状態に保持される。
背圧室２０８は、パイロット水路２１２によって主水路２０４における主弁２０６の下流部に連通するようになっており、そしてそのパイロット水路２１２が、パイロット弁２１４にて開閉されるようになっている。
【０００５】
この吐水装置の場合、吐止水操作部２０２における一方の端部２０２ａを押込操作すると、（Ｂ）に示すようにパイロット弁２１４が上方に持ち上がってパイロット水路２１２が連通した状態、即ち背圧室２０８が主水路２０４、詳しくは主水路２０４における主弁２０６の下流部と連通した状態となって、背圧室２０８内の水が主水路２０４へと流出し、背圧室２０８内の水圧による主弁２０６の閉弁方向への押圧作用が解除される。
これにより主弁２０６が、主水路２０４の給水圧によって開弁作動し、ここにおいて主水路２０４を通じて水が吐水口２００から外部に吐水される。
【０００６】
一方端部２０２ａとは反対側の端部２０２ｂを押込操作すると、（Ａ）に示すようにパイロット弁２１４が下向きに押し込まれてパイロット水路２１２が遮断状態となり、ここにおいて主水路２０４内の水が主弁２０６の貫通の小孔（図示省略）を通じて背圧室２０８内に流入して背圧室２０８内の水圧が高まり、そしてその水圧により主弁２０６が閉弁作動して吐水口２００からの吐水が停止する。
【０００７】
この吐水装置の場合、吐止水操作部２０２がシーソー式のスイッチ操作部として構成してあることから、単にこれを押込操作するだけで吐水と止水とを行うことができ、利便性が高い特長がある。
【０００８】
図８は本出願人の提案に係る別種の吐水装置を示したもので、この吐水装置２１５も同様のシーソー式のスイッチ操作部として吐止水操作部２０２を有している。
この吐水装置２１５は本体ボデー２１６を有していて、その本体ボデー２１６の図中上側の端部にシーソー式のスイッチ操作部として吐止水操作部２０２が設けられ、また反対側において本体ボデー２１６に吐水口２００，主水路２０４が設けられている。
【０００９】
本体ボデー２１６にはまた、吐止水操作部２０２側においてパイロット弁２１４が設けられている。
尚、図中２１８は主弁２０６に設けられた貫通の小孔で、この小孔２１８を通じて、主水路２０４内の水が背圧室２０８内へと少量ずつ導入される。
【００１０】
この吐水装置２１５は、例えばこれを浴室のカウンターにおける前端の下向きの前板部２２０に取り付けることで、浴室の洗い場等に容易に設置することができる。
尚、図８中上下方向が実際の前後方向で、図中左右方向が実際の上下方向となる。
【００１１】
而して設置状態において、シーソー式のスイッチ操作部である吐止水操作部２０２が前板部２２０の前面に露出した状態となり、本体ボデー２１６が前板部２２０の裏側に隠れた状態となり、そして前板部２２０の裏側において吐水口２００が下方を向いた状態となる。
【００１２】
【発明が解決しようとする課題】
ところでこの吐水装置２１５の場合、これを上記のように例えば浴室のカウンターの前板部２２０に取り付けると、吐水口２００の前後方向位置が自動的に定まってしまう問題がある。
例えば浴室に設置されるカウンターは様々であり、そのカウンターの種類や形状その他の条件によって、吐止水操作部２０２が操作し易い適正な位置に来るように吐水装置２１５を取り付けたとき、吐水口２００の位置が適正な位置よりも前後方向にずれてしまい、吐水装置２１５が使い辛くなるといった問題を生じ得る。
【００１３】
例えばカウンターの前板部２２０は、吐水装置２１５の設置現場ごとにその厚みが様々に異なっており、この場合吐水口２００の位置を適正な位置に持ち来すことが困難であり、従って実質的にこの吐水装置２１５は厚みが一定の専用のカウンターにしか取り付けられないといった問題が生じていた。
【００１４】
この場合において、パイロット水路２１２を可撓性のチューブで構成して、本体ボデー２１６における吐水口２００側の部分と、吐止水操作部２０２側の部分とをその可撓性のチューブにて連絡するように吐水装置２１５を構成すれば、その可撓性のチューブの可撓性を利用して、吐止水操作部２０２と吐水口２００との前後方向の位置関係を自由に調節することが可能である。
【００１５】
しかしながらそのように吐水装置２１５を構成すると、吐水装置２１５の構造が複雑となり、また吐水装置２１５の組付けに際して可撓性のチューブをそれぞれ相手側の部材に接続したりしなければならず、また取扱い性も悪化し、更にはまた場合によって可撓性のチューブが外部に露出したりして美観を損ねるなど様々な問題が発生する。
【００１６】
以上吐止水操作部がシーソー式のスイッチ操作部として構成された吐水装置を例として説明したが、この問題は他の形態の吐止水操作部を有する吐水装置においても生じ得る問題である。
【００１７】
【課題を解決するための手段】
本発明の吐水装置はこのような課題を解決するために案出されたものである。
而して請求項１のものは、本体ボデーと、該本体ボデーに設けられた吐止水操作部と、該吐止水操作部とは反対側において該本体ボデーに設けられた吐水口とを有し、該本体ボデーには前記吐水口に連通する主水路と、該主水路を開閉する主弁と、該主弁を水圧により閉弁方向に押圧するための背圧室と、該背圧室と前記主水路の前記主弁の下流部とを連通させる該主弁操作用のパイロット水路とが内部に設けられているとともに、該パイロット水路を開閉するパイロット弁が設けられており、前記吐止水操作部による前記パイロット弁の開閉操作により前記吐水口からの吐水と止水とを行う吐水装置において、前記本体ボデーを、前記吐止水操作部側と吐水口側とに分割するとともに、該吐止水操作部と吐水口とが接近・離間する方向に伸縮可能な伸縮構造となしてあることを特徴とする。
【００１８】
請求項２のものは、請求項１において、前記本体ボデーにおける前記吐水口側の分割体に前記主水路と前記主弁と前記背圧室とが設けてあるとともに、前記吐止水操作部側の分割体に前記パイロット弁が設けてあって、前記パイロット水路が該吐水口側の分割体と該吐止水操作部側の分割体とにまたがって形成されており、前記本体ボデーの伸縮によって該パイロット水路が伸縮するようになしてあることを特徴とする。
【００１９】
請求項３のものは、請求項１，２の何れかにおいて、前記パイロット水路が、前記本体ボデーに一体的に設けた管部にて構成してあることを特徴とする。
【００２０】
請求項４のものは、請求項３において、前記パイロット水路が二重管にて構成してあり、該二重管の内管により前記背圧室から前記パイロット弁の側に向う往水路が、該内管と外管との間に該パイロット弁の側から前記主水路の側に向う復水路が形成してあることを特徴とする。
【００２１】
請求項５のものは、請求項１〜４の何れかにおいて、前記本体ボデーにおける前記吐止水操作部側の分割体と前記吐水口側の分割体との伸縮方向の相対関係位置を規定するスペーサ部材が設けてあることを特徴とする。
【００２２】
請求項６のものは、請求項１〜５の何れかにおいて、前記本体ボデーにおける前記吐止水操作部側の分割体と前記吐水口側の分割体とがねじ結合してあることを特徴とする。
【００２３】
請求項７のものは、請求項１〜６の何れかにおいて、前記吐止水操作部が押込式のスイッチ操作部として構成してあることを特徴とする。
【００２４】
請求項８のものは、請求項７において、前記吐止水操作部が、互いに反対側の端部を押込操作することで吐水操作と止水操作とを行うシーソー式のスイッチ操作部となしてあることを特徴とする。
【００２５】
【作用及び発明の効果】
以上のように請求項１のものは、本体ボデーを吐止水操作部側と吐水口側とに分割し且つそれらが接近・離間する方向に伸縮可能な伸縮構造となしたもので、この吐水装置にあっては、本体ボデーが伸縮可能であることから、吐水装置の設置現場の状況に応じて吐止水操作部及び吐水口の何れもが適正な位置に来るようにこれを設置することが可能となり、吐水装置が使い易いものとなる。
【００２６】
またこの吐水装置においては、本体ボデーの内部に主水路と主弁と背圧室とパイロット水路とが設けてあるため、パイロット水路を構成するための可撓性のチューブが外部に露出して美観を損ねたり、吐水装置の組付けに際して可撓性のチューブの接続を必要とするといった問題を生じない利点を有する。
【００２７】
本発明においては、吐水口側の分割体に主水路と主弁と背圧室とを設ける一方、吐止水操作部側の分割体にパイロット弁を設けて、上記パイロット水路をその吐水口側の分割体と吐止水操作部側の分割体とにまたがって形成した上、これを本体ボデーとともに伸縮するように構成しておくことができる（請求項２）。
【００２８】
更にまたこのパイロット水路は、本体ボデーに一体的に設けた管部にて構成しておくことができる（請求項３）。
更にこの場合においてそのパイロット水路を二重管にて構成し、その二重管の内管により、背圧室からパイロット弁の側に向う往水路を、また内管と外管との間にパイロット弁の側から主水路の側に向う復水路を形成しておくことができる（請求項４）。
【００２９】
このようになすことで、本体ボデーにパイロット水路を一体的に形成しつつ、これを本体ボデーとともに容易に伸縮可能となすことができる。
即ち本体ボデーにパイロット水路を一体的に設けた場合においても、本体ボデーをパイロット水路の連通を保ちつつ容易に伸縮可能となすことができる。
【００３０】
次に請求項５のものは、本体ボデーにおける吐止水操作部側の分割体と吐水口側の分割体との伸縮方向の相対関係位置をスペーサ部材で規定するようになしたもので、このようになすことで、両分割体を適正位置に調節した後においてその調節位置に各分割体を固定することができる。
またこの本体ボデーの吐止水操作部側の分割体と吐水口側の分割体とをねじ結合にて締結するようになすことができる（請求項６）。
【００３１】
上記吐止水操作部は、押込式のスイッチ操作部として構成しておくことができ（請求項７）、更にまたこの場合において、その吐止水操作部を互いに反対側の端部を押込操作することで吐水操作と止水操作とを行うシーソー式のスイッチ操作部となしておくことができる（請求項８）。
このようにすることで、ワンタッチ操作で簡単に吐水口からの吐水と止水とを行うことができ、吐水装置の操作が容易となる利点が得られる。
【００３２】
【実施例】
次に本発明の実施例を図面に基づいて詳しく説明する。
図１〜図３において、１０は本例のワンタッチ操作式の吐水装置で、この吐水装置１０は、例えば取付部１２（この例ではカウンターの前端の下向きの前板部）の取付穴１４から後述の吐止水操作部１６が前方（図中上方）に露出する状態で、かかる取付部１２に取り付けられて使用される。
図１中１８は取付部１２の奥側の保持部であって、吐水装置１０は実際にはこの保持部１８に固定されて保持される。
【００３３】
尚図１中上下方向が実際の前後方向で、図中左右方向が実際の上下方向となり、吐水装置１０は後述の吐水口２２が下向きとなる状態で取付部１２に取り付けられる。
但しこれはあくまで取付けの一例である。
【００３４】
２０は吐水装置１０における本体ボデーで、図中上側の端部（前端部）に吐止水操作部１６が、また反対側の端部に吐水口２２が設けられている。
本体ボデー２０には、吐水口２２側においてその内部に主水路２４が形成されており、配管を通じて供給された水が主水路２４を通じて吐水口２２へと送られるようになっている。
【００３５】
この主水路２４上には、これを開閉するためのダイヤフラム弁から成る主弁２６が設けられている。
主水路２４は、この主弁２６が弁座２８に着座することで遮断、即ちその上流側水路２４ａと下流側水路２４ｂとが遮断され、また主弁２６が弁座２８から図中上向きに離間することで連通、詳しくは上流側水路２４ａと下流側水路２４ｂとが連通するようになっている。
【００３６】
主弁２６の背面側（図中上面側）には背圧室２９が形成されている。
主弁２６は、通常はこの背圧室２９内の圧力（水圧）にて図中下向きに押圧され、弁座２８に着座した状態に保持される。即ち主弁２６はこの背圧室２９の水圧によって通常閉弁状態に保持される。
【００３７】
この背圧室２９からは、主弁２６操作用のパイロット水路３０が延び出している。
パイロット水路３０は、背圧室２９から後述のパイロット弁３２の側に向って延びる往水路３０ａと、パイロット弁３２の側から吐水口２２側、詳しくは主水路２４における主弁２６の下流部の側に向う復水路３０ｂとを有しており、その復水路３０ｂの一端が、主水路２４における主弁２６の下流部に開口している。
【００３８】
パイロット弁３２は、このパイロット水路３０を開閉するためのもので、このパイロット弁３２が弁座３４に着座することでパイロット水路３０が遮断され、またパイロット弁３２が弁座３４から図中上向きに離間することで、パイロット水路３０の遮断状態が解除される。即ちパイロット水路３０が連通状態とされる。
【００３９】
而してこのようにパイロット弁３２の開弁によってパイロット水路３０が連通状態になると、背圧室２９内の水がパイロット水路３０を通じて主水路２４へと流出し、これにより背圧室２９内の水圧が低下して、主弁２６が主水路２４の給水圧により開弁作動する。
ここにおいて主水路２４が開放状態となって、配管を通じ供給された水が主水路２４を通じて吐水口２２へと送られ、続いて吐水口２２から外部へと吐水される。
一方パイロット弁３２の閉弁によってパイロット水路３０が遮断状態になると、背圧室２９内に主水路２４内の水が貫通の小孔３５を通じて流入し、ここにおいて背圧室２９内の水圧が高まって主弁２６が閉弁作動し、吐水口からの吐水が停止する。
【００４０】
上記吐止水操作部１６はスイッチ式、詳しくはシーソー式のスイッチ操作部であって、底部にプレート３６が取り付けてあり、そのプレート３６において固定部材３８により本体ボデー２０に取付固定されている。
【００４１】
図４に示しているように、この固定部材３８は前板４０と、一対の側板４２と、底板４４とを有しており、そしてその前板４０の上端部に一対の掛止部４６が、また一対の側板４２のそれぞれに、吐止水操作部１６をプレート３６において揺動可能に支持するためのくの字状の切欠部４８が形成されている。
一方プレート３６には、一対の段付形状の当接部５０が形成されており、それら当接部５０が固定部材３８の切欠部４８に当接させられている。
【００４２】
そしてその状態でプレート３６に形成された一対の掛止穴５２に、一対のコイルスプリング５４の一端のフック部５６が掛止されている。
これらコイルスプリング５４の他端のフック部５６は、上記固定部材３８の掛止部４６に掛止されており、これらコイルスプリング５４の引張力により、プレート３６が当接部５０を切欠部４８に当接させた状態で固定部材３８により揺動可能に保持されている。即ち吐止水操作部１６が、プレート３６において固定部材３８により揺動可能に保持されている。
尚固定部材３８は、底板４４において図１に示しているように雄ねじ５８により本体ボデー２０に取付固定されている。
【００４３】
図１に示しているように、本体ボデー２０にはスリーブ６０が取り付けられており、そのスリーブ６０の内部に上記パイロット弁３２が摺動可能に保持されている。
このパイロット弁３２にはＴ字状の頭部６２が設けられている（図４参照）。
一方プレート３６には、図４に示しているようにフォーク部６４が設けられており、このフォーク部６４により頭部６２が図中上方に持ち上げられることで、パイロット弁３２が開弁作動し、またフォーク部６４によりパイロット弁３２の本体部分が下向きに押されることで、パイロット弁３２が閉弁作動する。
【００４４】
本例の吐止水操作部１６の場合、図５（Ｉ）に示しているように吐止水操作部１６の図中左側の端部１６ｂを下向きに押込操作すると、吐止水操作部１６が固定部材３８の切欠部４８に当接した状態のプレート３６の当接部５０を支点として、図５中反時計回りに回転運動する。
その過程で一対のコイルスプリング５４が一旦伸長した後に再び収縮運動し、その収縮力に基づいて吐止水操作部１６が図５（Ｉ）に示す状態に安定的に保持される。
【００４５】
また一方吐止水操作部１６の図中右側の端部１６ａを下向きに押込操作すると、吐止水操作部１６がプレート３６の当接部５０を支点として、今度は上記と逆方向の時計回りに回転運動する。
そしてその過程でコイルスプリング５４が一旦伸長した後に再び収縮運動し、その収縮力に基づいて吐止水操作部１６が図５（II）に示す状態に安定的に保持される。
【００４６】
而して図５（Ｉ）に示す状態では、パイロット弁３２がプレート３６のフォーク部６４により下向きに押されて閉弁作動し、パイロット水路３０を閉鎖（遮断）する。
これにより主弁２６が閉弁作動して主水路２４が閉鎖（遮断）され、吐水口２２からの吐水が停止される。
【００４７】
また一方図５（II）の状態では、パイロット弁３２がフォーク部６４により頭部６２を上方に持ち上げられて開弁作動し、パイロット水路３０を開放する。
これに伴って主弁２６が開弁作動して主水路２４が開放され、その主水路２４を通じて送られて来た水が吐水口２２から外部に吐水される。
【００４８】
図１に示しているように、本体ボデー２０は吐止水操作部１６側の第１分割体２０−１と、吐水口２２側の第２分割体２０−２とに分割されるとともに、その分割構造に基づいて本体ボデー２０が吐止水操作部１６と吐水口２２とを接近・離間させる前後方向（図１中上下方向）に伸縮可能な伸縮構造とされている。
ここで第１分割体２０−１は主部６６と円筒部６８とを有している。
【００４９】
円筒部６８の内周面には雌ねじ７０が形成されており、また一方第２分割体２０−２側には外周面に雄ねじ７２が形成されていて、その雄ねじ７２に対し円筒部６８の雌ねじ７０が螺合されている。
即ち第１分割体２０−１と第２分割体２０−２とがねじ結合されている。
【００５０】
図１及び図２に示しているように、本体ボデー２０の内部には二重管構造をなす管部７４が本体ボデー２０と一体的に前後方向（図中上下方向）に設けられており、その管部７４の内側に上記パイロット水路３０が形成されている。
【００５１】
この管部７４は、第１分割体２０−１側から図中下向きに延び出す外管７６と、その外管７６の内側に設けられた内管７８とを有しており、その内管７８によって、その内側に背圧室２９からパイロット弁３２の側に向う往水路３０ａが形成され、また内管７８と外管７６との間に、パイロット弁３２の側から主水路２４の主弁２６の下流部の側へと向う復水路３０ｂが形成されている。
【００５２】
ここで内管７８は、第１分割体２０−１側に一体に形成された雄管部８０と、第２分割体２０−２側に一体に形成された雌管部８２とから成っており、その雌管部８２が雄管部８０の内部に水密に且つ図中上下方向に摺動可能に嵌入している。
第２分割体２０−２側にはまた、この雌管部８２を有する突出部８４が一体に設けられており、その突出部８４が外管７６の内部に水密に且つ図中上下方向に摺動可能に嵌入している。
【００５３】
図１及び図２において、８６は突出部８４に外嵌されたリング状をなすスペーサ部材であって、このスペーサ部材８６によって、第１分割体２０−１と第２分割体２０−２との伸縮方向、即ち前後方向（図中上下方向）の相対関係位置が規定されている。
【００５４】
本例の吐水装置１０の場合、本体ボデー２０がパイロット水路３０の伸縮を伴って前後方向（図中上下方向）に伸縮可能であって、その伸縮により、吐止水操作部１６と吐水口２２との前後方向の相対関係位置を調節することができる。
【００５５】
例えば図６に示しているように取付部１２の厚みが厚い場合と薄い場合とで、吐止水操作部１６と吐水口２２との前後方向の適正な相対関係位置が異なって来るが、この場合において、本例の吐水装置１０では本体ボデー２０が伸縮可能な伸縮構造とされており、それら吐止水操作部１６と吐水口２２との相対的な前後方向位置を調節することができるため、取付部１２の厚みの如何に拘わらず、或いは吐水装置１０の設置現場の状況の如何に拘わらず、吐止水操作部１６及び吐水口２２を適正位置に持ち来すようにして、吐水装置１０を取付部１２に取り付けることができ、吐水装置１０が使い易いものとなる。
【００５６】
またこの吐水装置１０は、本体ボデー２０の内部に主水路２４と、主弁２６と、背圧室２９と、パイロット水路３０とが設けてあるため、パイロット水路３０を構成するための可撓性のチューブが外部に露出して美観を損ねたり、吐水装置１０の組付けに際して可撓性のチューブの接続を必要とするといった問題を生じない。
【００５７】
本例では、パイロット水路３０を本体ボデー２０に一体的に設けた外管７６と内管７８との二重管にて構成していることから、本体ボデー２０にパイロット水路３０を一体的に形成しつつこれを本体ボデー２０とともに容易に伸縮可能となすことができる。
即ち本体ボデー２０にパイロット水路３０を一体的に設けた場合においても、パイロット水路３０の連通を保ちつつ容易に本体ボデー２０を伸縮可能となすことができる。
【００５８】
また本例では、本体ボデー２０における吐止水操作部１６側の第１分割体２０−１と、吐水口２２側の第２分割体２０−２との伸縮方向の相対関係位置をスペーサ部材８６で規定するようにしているため、両分割体２０−１，２０−２を適正位置に調節した後において、その調節位置に各分割体２０−１，２０−２を固定することができる。
【００５９】
更に本例では吐止水操作部１６をシーソー式のスイッチ操作部として構成し、吐止水操作部１６の端部１６ａ，１６ｂの押込操作により吐水と止水とを行うようになしているため、ワンタッチ操作で簡単に吐水口２２からの吐水と止水とを行うことができ、吐水装置１０の操作が容易である。
【００６０】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である吐水装置の断面図である。
【図２】図１の吐水装置を各部材に分解して示す断面図である。
【図３】同実施例の吐水装置を各部材に分解して示す斜視図である。
【図４】同実施例における吐止水操作部の一部とその周辺部を示す図である。
【図５】同実施例の吐水装置における吐止水操作部の作用説明図である。
【図６】同実施例の吐水装置の利点の説明図である。
【図７】吐止水操作部としてシーソー式のスイッチ操作部を有する吐水装置の従来の一例を示す図である。
【図８】本出願人の提案に係る吐水装置の一例を示す図である。
【符号の説明】
１０  吐水装置
１６  吐止水操作部
１６ａ，１６ｂ  端部
２０  本体ボデー
２０−１  第１分割体
２０−２  第２分割体
２２  吐水口
２４  主水路
２４ａ  上流側水路
２４ｂ  下流側水路
２６  主弁
２９  背圧室
３０  パイロット水路
３０ａ  往水路
３０ｂ  復水路
３２  パイロット弁
７０  雌ねじ
７２  雄ねじ
７４  管部
７６  外管
７８  内管
８６  スペーサ部材
【図１】
0003930744.tif 000002
【図２】
0003930744.tif 000003
【図３】
0003930744.tif 000004
【図４】
0003930744.tif 000005
【図５】
0003930744.tif 000006
【図６】
0003930744.tif 000007
【図７】
0003930744.tif 000008
【図８】
0003930744.tif 000009